(57)【要約】【課題】設置作業を容易に行なうことのできる洋風水洗式便器を提供する。【解決手段】便器本体１は、床面Ｆに載置される外周壁１Ｗと、外周壁１Ｗ内に形成された便鉢２と、外周壁１Ｗ内に形成され、便鉢２の下端の流入口３ｉと連通して上昇する上昇流路３と、外周壁１Ｗ内で便鉢２より後方に形成され、洗浄水供給装置５０及び吸気装置４０を収納する収納空間１Ｗとを備えている。収納空間１Ｗは上下が開放されており、上昇流路３は、最上位部３ａ又はそれより下流側に設けられ、略垂直方向下方に開く連通口４１を有する連通管４０を備えている。洋風水洗式便器は、床面Ｆから収納空間１Ｗ内に立ち上げられた床排水管２０に収納空間１Ｗ内で接続され、連通管４０と収納空間１Ｗ内で上下に接続される排水接続管１０を具備している。【選択図】図１
2008274566.tif 000002
【特許請求の範囲】
【請求項１】
床面に載置される外周壁と、該外周壁内に形成された便鉢と、該外周壁内に形成され、該便鉢の下端の流入口と連通して上昇する上昇流路と、該外周壁内で該便鉢より後方に形成され、機能装置を収納する収納空間とを備えた便器本体であって、
前記収納空間は上下が開放されており、前記上昇流路は、最上位部又はそれより下流側に設けられた連通口によって該収納空間に連通していることを特徴とする便器本体。
【請求項２】
請求項１記載の便器本体は、前記連通口が略垂直方向下方に開くように形成された連通管を備え、
前記床面から前記収納空間内に立ち上げられた床排水管に該収納空間内で接続され、該連通管と該収納空間内で上下に接続される排水接続管を具備していることを特徴とする洋風水洗式便器。
【請求項３】
請求項１記載の便器本体は、前記連通口が略垂直方向下方に開くように形成された連通管を備えているとともに、前記外周壁には前記収納空間と外部とを連通する開口が形成され、
該外部から該開口を挿通して該収納空間内に引き込まれた床上排水管に該収納空間内で接続され、該連通管と該収納空間内で上下に接続される排水接続管を具備していることを特徴とする洋風水洗式便器。
【発明の詳細な説明】
【技術分野】
【０００１】
本発明は便器本体及び洋風水洗式便器に関する。
【背景技術】
【０００２】
特許文献１の図２に従来の洋風水洗式便器が開示されている。この洋風水洗式便器に採用されている便器本体は、床面に載置される外周壁と、外周壁内に形成された便鉢とを備えている。この便鉢は下端から水平方向に延びる連通管を有している。また、便器本体は、便鉢より後方に形成され、便器洗浄装置を収納する収納空間を備え、この収納空間は上下が開放されている。洋風水洗式便器は、連通管と収納空間内で左右に接続される汚水排出装置も具備している。この汚水排出装置の内部には弁が配設されている。この弁を閉弁することにより便鉢内に洗浄水が貯留される。また、この弁を開弁することにより、便鉢に貯留された洗浄水が排出される。
【０００３】
このような構成である従来の洋風水洗式便器では、収納空間の上方の開口から便器洗浄装置及び汚水排出装置のメンテナンスを行なうことができる。
【０００４】
【特許文献１】特開平８−１９３３４７号公報
【発明の開示】
【発明が解決しようとする課題】
【０００５】
しかし、上記従来の洋風水洗式便器では、便鉢に洗浄水が貯留されている状態において、連結管と汚水排出装置との接続部の内部に洗浄水が滞留している。つまり、連結管と汚水排出装置との接続部には、便器洗浄時を除き、常に洗浄水が滞留していることになるため、この接続部は厳重に水密性が確保されなければならない。また、この接続部は収納空間の下方に位置している。これらのことから、洋風水洗式便器を設置する際において、連結管と汚水排出装置との接続作業に手間を要する。
【０００６】
本発明は、上記従来の実情に鑑みてなされたものであって、設置作業を容易に行なうことのできる洋風水洗式便器を提供することを解決すべき課題としている。
【課題を解決するための手段】
【０００７】
本発明の便器本体は、床面に載置される外周壁と、該外周壁内に形成された便鉢と、該外周壁内に形成され、該便鉢の下端の流入口と連通して上昇する上昇流路と、該外周壁内で該便鉢より後方に形成され、機能装置を収納する収納空間とを備えた便器本体であって、
前記収納空間は上下が開放されており、前記上昇流路は、最上位部又はそれより下流側に設けられた連通口によって該収納空間に連通していることを特徴とする。
【０００８】
このような構成である本発明の便器本体では、上昇流路の最上位部より上流側に洗浄水を滞留させることにより便鉢内に水封部が形成される。このため、上昇流路の最上位部又はそれより下流側に設けられた連通口には洗浄水が滞留しないため、連通口と連通口の下流部材との接続部は、洗浄水が滞留する部分に比べ、簡易な構造で容易に接続され得る。また、連通口を収納空間の上方に位置させることができるため、接続作業を収納空間の上方の開口から容易に行なうことができる。
【０００９】
したがって、本発明の便器本体によれば、設置作業の容易な洋風水洗式便器が得られる。
【００１０】
なお、便器本体の収納空間の下部内面に面状ヒーターを貼付しても良い。このようにすれば収納空間内に収納される機能装置の凍結を防止することができる。
【００１１】
本発明の洋風水洗式便器は、上記便器本体は連通口が略垂直方向下方に開くように形成された連通管を備え、床面から収納空間内に立ち上げられた床排水管に収納空間内で接続され、連通管と収納空間内で上下に接続される排水接続管とを具備していることを特徴とする。
【００１２】
このような構成である本発明の洋風水洗式便器では、床排水管に接続された排水接続管に対して、上方から便器本体を下降させながら、連通管の下流端開口を排水接続管の上流端の上流口に接続することができる。つまり、便器本体を床面に配置するのと同時に連通管と排水接続管とを接続することができるため、洋風水洗式便器の設置作業を容易に行なうことができる。また、収納空間の上方の開口から連通管と排水接続管との接続部を目視しながら便器本体を下降させることができるため、確実に連通管と排水接続管とを接続することができ、洋風水洗式便器の設置作業を容易に行なうことができる。
【００１３】
また、本発明の洋風水洗式便器は、上記便器本体は連通口が略垂直方向下方に開くように形成された連通管を備えているとともに、外周壁には収納空間と外部とを連通する開口が形成され、外部から開口を挿通して収納空間内に引き込まれた床上排水管に収納空間内で接続され、連通管と収納空間内で上下に接続される排水接続管を具備していることを特徴とする。
【００１４】
このような構成である本発明の洋風水洗式便器でも、床上排水管に接続された排水接続管に対して、上方から便器本体を下降させながら、連通管の下流端開口を排水接続管の上流端の上流口に接続することができる。つまり、便器本体を床面に配置するのと同時に連通管と排水接続管とを接続することができるため、洋風水洗式便器の設置作業を容易に行なうことができる。また、収納空間の上方の開口から連通管と排水接続管との接続部を目視しながら便器本体を下降させることができるため、確実に連通管と排水接続管とを接続することができ、洋風水洗式便器の設置作業を容易に行なうことができる。
【発明を実施するための最良の形態】
【００１５】
以下、本発明の便器本体及びこれを用いた洋風水洗式便器の実施例１及び２を図面を参照しつつ説明する。
【実施例１】
【００１６】
図１に示すように、実施例１の洋風水洗式便器は、便器本体１と、排水接続管１０とを備えている。なお、便座及び便蓋の図示は省略する。
【００１７】
便器本体１は、床面Ｆに載置される外周壁１Ｗと、外周壁１Ｗ内に形成された便鉢２と、便鉢２の下端の流入口３ｉと連通して上昇する上昇流路３とを備えている。また、便器本体１は、外周壁１Ｗ内で便鉢２より後方に形成され、図示しない機能装置を収納する収納空間１Ｓを備えている。この収納空間１Ｓは上下が開放されている。また、収納空間１Ｓの下部内面に面状ヒーター７０が貼付されている。
【００１８】
便器本体１は上昇流路３に連通する連通管４０を備えている。連通管４０の上流端開口には、パッキン４０ｐを介して上昇流路３の便器排水口３ｂが挿入されている。便器排水口３ｂは上昇流路３の最上位部３ａの下流側に位置している。連通管４０は略垂直方向下方に開く連通口４１を有している。図２に示すように、便鉢２内に洗浄水が貯留されて水封部６が形成された際、上昇流路３の最上位部３ａより下流の連通口４１には洗浄水が滞留しない。また、連通管４０の中間には略垂直方向上方に開く吸気口４２が形成されている。吸気口４２の上端にはパッキン４２ｐが嵌め付けられている。
【００１９】
排水接続管１０は、上流端の上流口からこの上流口より低い第１位置の第１連通口まで延びる第１下降流路と、第１連通口と接続される第１被連通口からこの第１被連通口より高い第２位置の第２連通口まで延びる上昇流路と、第２連通口と接続される第２被連通口から下流端の下流口まで延びる第２下降流路とを備え、第１下降流路、上昇流路及び第２下降流路は、第１位置及び第２位置の位置関係を満たしながら、渦巻き状になっている。すなわち、第１下降流路、上昇流路及び第２下降流路はとぐろを巻いている。このため、排水接続管１０は、途中に洗浄水が滞留して上流側と下流側とを封鎖する滞留部１２を有している。排水接続管１０の上流口は略垂直方向上方に開き、そこにはパッキン１０ｐが嵌め付けられている。排水接続管１０の上流口には、管径を縮小するオリフィス部材１１が嵌め込まれている。
【００２０】
排水接続管１０の下流口は、床排水接続ソケット１５に接着されている。床排水接続ソケット１５は、床面Ｆから立ち上げられた床排水管２０に接着され、かつ床面Ｆに先端の尖った固定ビス１５ｂ（図３参照）により固定されている。このようにして、排水接続管１０は床排水管２０に接続されている。
【００２１】
図２に示すように、洋風水洗式便器は、機能装置として、洗浄水供給装置５０及び吸気装置６０を有している。洗浄水供給装置５０は、水道管に連通されており、開閉弁を有している。また、洗浄水供給装置５０は、便器本体１のリム５に連通され、開閉弁の開閉により便鉢２へ洗浄水を供給可能にされている。
【００２２】
吸気装置６０は、下部に吸気接続管６４を有する吸引タンク６３と、吸引タンク６３に開閉弁６２を介して接続され、機械式ポンプにより負圧を発生する負圧発生装置６１とを有している。吸気接続管６４は、パッキン４２ｐを介して吸気口４２に挿入されている。吸気装置６０は、便器洗浄が実行されると、適切なタイミングで開閉弁６２が開閉され、連通管４０から空気を吸引する。これにより、上昇流路３、連通管４０の内部及び滞留部１２より上流側の排水接続管１０の内部を洗浄水で満水にすることができ、早期にサイホン作用を発生させることができる。
【００２３】
次に、この洋風水洗式便器の設置手順について説明する。
【００２４】
図１及び図２に示すように、先ず、床排水接続ソケット１５に接着された排水接続管１０と、連通管４０が上昇流路３の便器排水口３ｂに接続された便器本体１とを用意する。
【００２５】
次に、床面Ｆから立ち上げられた床排水管２０の上端開口に床排水接続ソケット１５の接続部を挿入しながら、床排水接続ソケット１５を床面Ｆの適切な位置に配置する。そして、床面Ｆに固定ビス１５ｂにより床排水接続ソケット１５を固定する。
【００２６】
次に、便器本体１の収納空間１Ｓに排水接続管１０を収納しながら、便器本体１を排水接続管１０の上方から下降させ、床面Ｆに配置する。この際、図３に示すように、収納空間１Ｓの上方の開口から排水接続管１０の上流口を目視しながら、連通管４０の連通口４１を排水接続管１０の上流口に挿入することができる。このため、確実に連通管４０と排水接続管１０とを接続することができる。
【００２７】
次に、便器本体１を上面から固定ビス１ｂ（図３参照）により床面Ｆに固定する。その後、収納空間１Ｓ内に上方から洗浄水供給装置５０及び吸気装置６０を挿入し、組み付ける。この際、吸引タンク６３の吸気接続管６４を吸気口４２に上方から挿入しながら収納空間１Ｓ内に吸引タンク６３を収納する。
【００２８】
以上の洋風水洗式便器では、上昇流路３の便器排水口３ｂと連通管４０の上流端開口との接続部及び連通管４０の連通口４１と排水接続管１０の上流口との接続部に洗浄水が滞留しない。このため、パッキンを介して挿入するのみで各接続部を接続することができる。また、各接続部は収納空間１Ｓの中央部より上方に位置している。
【００２９】
したがって、実施例１の洋風水洗式便器は、設置作業を容易に行うことができる。
【実施例２】
【００３０】
図４に示すように、実施例２の洋風水洗式便器では、便器本体１の後方下部の外周壁１Ｗに収納空間１Ｓと外部とを連通する開口１Ｘが形成されている。この開口１Ｘを挿通して外部から収納空間１Ｓ内に床上排水管２００が引き込まれている。
【００３１】
排水接続管１００は、上流端の上流口からこの上流口より低い第１位置の第１連通口まで延びる第１下降流路と、第１連通口と接続される第１被連通口からこの第１被連通口より高い下流端の下流口まで延びる上昇流路とを備えている。このため、排水接続管１００は、途中に洗浄水が滞留して上流側と下流側とを封鎖する滞留部１２０を有している。排水接続管１００の上流口は略垂直方向上方に開き、そこにはパッキン１００ｐが嵌め付けられている。排水接続管１００の下流口は略水平方向後方に開き、パッキンを介して床上排水管２００が挿入されている。排水接続管１００は支持部材１１０が一体に形成されている。支持部材１１０は図示しない固定ビスにより床面Ｆに固定されている。他の構成は実施例１と同様である。このため、同一の構成については、同一の符号を付し詳細な説明は省略する。
【００３２】
次に、この洋風水洗式便器の設置手順について説明する。
【００３３】
先ず、排水接続管１００と、連通管４０が上昇流路３の便器排水口３ｂに接続された便器本体１とを用意する。次に、床上排水管２００の上流端開口を排水接続管１００の下流口に挿入しながら、床排水接続管２００を床面Ｆの適切な位置に配置する。そして、床面Ｆに固定ビスにより排水接続管１００に一体に形成された支持部材１１０を固定する。
【００３４】
次に、便器本体１の開口１Ｘに床上排水管２００を挿通し、収納空間１Ｓに排水接続管１００を収納しながら、便器本体１を上方から下降させ、床面Ｆに配置する。この際、収納空間１Ｓの上方の開口から排水接続管１００の上流口を目視しながら、連通管４０の連通口４１を排水接続管１０の上流口に挿入することができる。このため、確実に連通管４０と排水接続管１００とを接続することができる。
【００３５】
次に、便器本体１を上面から固定ビスにより床面Ｆに固定する。その後、収納空間１Ｓ内に上方から洗浄水供給装置５０及び吸気装置６０を挿入し、組み付ける。この際、吸引タンク６３の吸気接続管６４を吸気口４２に上方から挿入しながら収納空間１Ｓ内に吸引タンク６３を収納する。
【００３６】
以上の洋風水洗式便器では、上昇流路３の便器排水口３ｂと連通管４０の上流端開口との接続部及び連通管４０の連通口４１と排水接続管１０の上流口との接続部に洗浄水が滞留しない。このため、パッキンを介して挿入するのみで各接続部を接続することができる。また、各接続部は収納空間１Ｓの中央部より上方に位置している。
【００３７】
したがって、この洋風水洗式便器は、実施例１と同様、本発明の作用効果を奏することができる。
【００３８】
以上において、本発明を実施例１及び２に即して説明したが、本発明は上記実施例に制限されるものではなく、その趣旨を逸脱しない範囲で適宜変更して適用できることは言うまでもない。
【００３９】
例えば、連通管４０と上昇流路３とを一体に形成することが可能である。また、吸気装置６０を有しない洋風水洗式便器に本発明を適用することが可能である。さらに、滞留部１２を有さない排水接続管にも本発明を適用することが可能である。
【産業上の利用可能性】
【００４０】
本発明は洋風水洗式便器に利用可能である。
【図面の簡単な説明】
【００４１】
【図１】実施例１の洋風水洗式便器の設置作業の途中を示す横断面図である。
【図２】実施例１の洋風水洗式便器の横断面図である。
【図３】実施例１の洋風水洗式便器の設置作業の途中を示す平面図である。
【図４】実施例２の洋風水洗式便器の横断面図である。
【符号の説明】
【００４２】
１…便器本体
１Ｓ…収納空間
１Ｗ…外周壁
２…便鉢
３ｉ…流入口
３…上昇流路
３ａ…最上位部
４０…連通管
４１…連通口
５０、６０…機能装置（５０…洗浄水供給装置、６０…吸気装置）
Ｆ…床面
【図１】
2008274566.tif 000003
【図２】
2008274566.tif 000004
【図３】
2008274566.tif 000005
【図４】
2008274566.tif 000006